(57)【要約】【課題】従来拭き取れず蓄積されていたヘッド後端部に付着した汚れをきれいに掻きだし、ヘッド汚れを残さない信頼性が高く、寿命の長いヘッドクリーニング装置を提供することを目的とする。【解決手段】回転シリンダの回転数と回転方向とを制御する駆動手段と、磁気ヘッドをクリーニングするクリーナーと、クリーナーを回転シリンダに当てクリーナーに磁気ヘッドをクリーニングさせる当接手段と、駆動手段及び当接手段を制御する制御手段とを具備し、制御手段は回転シリンダにテープが巻きつけられていない期間に、駆動手段を通して回転シリンダを通常再生時とは逆方向に回転させ、当接手段によりクリーナーを当接させた後、所定時間経過後に回転シリンダの回転方向を順方向に切り替え、再度クリーナーを当接させる。【選択図】図１
2006228408.tif 000002
【特許請求の範囲】
【請求項１】
テープを巻きつけた回転シリンダに搭載された磁気ヘッドにより記録再生を行う装置のヘッドクリーニング装置であって、
前記回転シリンダの回転数と回転方向とを制御する駆動手段と、
前記磁気ヘッドをクリーニングするクリーナーと、
前記クリーナーを前記回転シリンダに当て前記クリーナーに前記磁気ヘッドをクリーニングさせる当接手段と、
前記駆動手段及び当接手段を制御する制御手段とを具備し、
前記制御手段は前記回転シリンダにテープが巻きつけられていない期間に、前記駆動手段を通して前記回転シリンダを通常再生時とは逆方向に回転させ、前記当接手段により前記クリーナーを当接させた後、所定時間経過後に前記回転シリンダの回転方向を順方向に切り替え、再度前記クリーナーを当接させるヘッドクリーニング装置。
【請求項２】
テープカセット排出時には前記シリンダを逆回転させながら前記クリーナーを当接させ、テープ挿入時には前記回転シリンダを正回転させながら前記クリーナーを当接させる請求項１記載のヘッドクリーニング装置。
【請求項３】
前記クリーナーと前記磁気ヘッドとの相対高さを変える移動手段を具備し、
制御手段は、回転シリンダが順回転の時と逆回転の時とでクリーナーの当接高さを変えるように前記移動手段を制御する請求項１記載のヘッドクリーニング装置。
【請求項４】
前記クリーナーを上下に移動可能とするとともに、
前記クリーナーの移動軸方向を回転シリンダの回転軸方向に対して傾けて配置した事を特徴とする請求項１記載のヘッドクリーニング装置。
【請求項５】
ヘッドクリーナーの材質を上下で異なるものとした請求項３及び４のうちいずれかに記載のヘッドクリーニング装置。
【発明の詳細な説明】
【技術分野】
【０００１】
本発明は、磁気ヘッドを有する回転シリンダにテープを巻きつけ記録再生を行うＶＴＲ、ＤＡＴ、ストリーマなどの記録再生装置の磁気ヘッドをクリーニングするヘッドクリーニング装置に関する。
【背景技術】
【０００２】
磁気テープに対し、回転シリンダに搭載された磁気ヘッドで記録再生を行う磁気記録再生機器では、磁気ヘッドと磁気テープとの接触面に磁性粉、潤滑剤、ゴミなどが付着することでスペーシングロスの増大を引き起こし、記録再生特性を劣化させる事があった。特に磁気テープ上の記録密度の向上に伴い、わずかなスペーシングロスでもその影響はますます大きなものとなってきている。したがって、磁気テープと磁気ヘッドとの接触面を常にクリーニングして綺麗にしておくことが信頼性確保の為に大変重要である。そこで、磁気ヘッドの接触面を綺麗に保つ手段として従来からヘッドクリーニング部材を回転シリンダに当接して汚れを取り除くことが行われてきた（たとえば、特許文献１参照）。
【０００３】
図７は、従来のヘッドクリーニング装置の構成を示すものである。図７において、回転シリンダ組み立て体１は固定シリンダ２と、磁気ヘッド３を搭載した回転シリンダ４から成り立っている。不織布などからなるクリーナー５は固定台１４に取り付けられた当接・移動手段８の回転軸９に固定された取り付け台６上に偏芯して設けられた軸７に配設されている。また、回転シリンダ４の回転軸、回転軸９及び軸７は互いに平行となるように構成されている。当接・移動手段８は取り付け台６を回転させることで、クリーナー５を回転シリンダ４に当接させる。回転シリンダ４が回転することにより、クリーナー５は回転シリンダ４との摩擦力により回転シリンダ４とは逆方向に回転しながら、磁気ヘッド３の表面の汚れを拭き取る。また、当接・移動手段８の回転軸９にはネジが形成されていて、クリーナー５を上昇または下降させることができる。このようにしてクリーナー５の磁気ヘッド３への当接高さを変えることで、拭き取った汚れが磁気ヘッド３に再付着するのを防止する。
【特許文献１】特開平６−６８４３２号公報
【発明の開示】
【発明が解決しようとする課題】
【０００４】
しかしながら前記従来の構成では、回転シリンダ４の回転方向が一定であり、クリーナー５と磁気ヘッド３との相対移動方向が常に一定なため、磁気ヘッド３にクリーナー５が当たる際に、ヘッドの前端と後端とで当たりが不均等になり、その結果拭きむらが生じたり、カスがこびりついたりして取れなくなることがあるという課題を有していた。特にヘッドの後端部はクリーナー５がよく当たらず、汚れが蓄積しやすかった。またさらにクリーナー５の汚れを防止する為にクリーナー５の高さを変えるための特殊な当接・移動手段８を必要とし、また、使用者が時々高さを変更してやる必要があったため、構造が複雑になると共に、使用者のメンテナンスの手間が増えるという課題を有していた。
【０００５】
本発明はこのような課題に鑑み、ヘッドの後端の汚れをふき取ることができるとともに汚れの蓄積が起きず、使用者のメンテナンスの負担を軽減できるヘッドクリーニング装置を提供することを目的とする。
【課題を解決するための手段】
【０００６】
前記従来の課題を解決するために、本発明のヘッドクリーニング装置は、回転シリンダの回転数と回転方向とを制御する駆動手段と、磁気ヘッドをクリーニングするクリーナーと、クリーナーを回転シリンダに当てクリーナーに磁気ヘッドをクリーニングさせる当接手段と、駆動手段及び当接手段を制御する制御手段とを具備し、制御手段は回転シリンダにテープが巻きつけられていない期間に、前記駆動手段を通して回転シリンダを通常再生時とは逆方向に回転させ、当接手段によりクリーナーを当接させた後、所定時間経過後に回転シリンダの回転方向を順方向に切り替え、再度クリーナーを当接させる構成をとる。
【０００７】
本構成によって、逆回転でヘッドにクリーナーが当接することにより正回転時には取りにくいヘッドの後端の汚れがふき取られるとともに、逆回転時にクリーナーを当接することにより生じるカスを今度は順方向で拭き直すことでヘッド表面をよりきれいに保つことができる。すなわち、逆回転と正回転で順にクリーナーを当てることにより、従来ありがちであった拭きむら、汚れの蓄積をなくすことができる。
【０００８】
また、本発明のヘッドクリーニング装置は、ヘッドクリーナーの当接する高さを逆回転時と順回転時で変える構成としたものである。これにより、逆回転時ヘッドクリーナーを当接することで汚れた場所と異なる位置で磁気ヘッドを拭き取ることができるため、なおいっそう信頼性のあるヘッドクリーニング装置とすることができる。
【発明の効果】
【０００９】
本発明のヘッドクリーニング装置によれば、従来ありがちであったヘッドの後端の汚れをふき取ることができるとともに、汚れの蓄積が起きない。また、逆回転時の当接で飛び散ったヘッド表面のカスも正回転時にきれいに除去できる。
【００１０】
また、汚れた場所と異なる綺麗な個所で再度磁気ヘッドを拭き取ることができる。これにより、使用者によるクリーナーの高さ調整の手間がなくなり、なおいっそう信頼性のあるヘッドクリーニング装置とすることができる。
【発明を実施するための最良の形態】
【００１１】
以下本発明を実施するための最良の形態について、図面を参照しながら説明する。
【００１２】
（実施の形態１）
図１は、本発明の実施の形態１におけるヘッドクリーニング装置の構成図である。図１において、従来例と同じ構成要件については同じ符号を用い、詳細な説明を省略する。
【００１３】
図１において、回転シリンダ組み立て体１は、固定シリンダ２、回転シリンダ４および回転シリンダ４に取り付けられた磁気ヘッド３を備えている。固定シリンダ２と回転シリンダ４とは同軸上に設けられている。
【００１４】
回転シリンダ４は回転シリンダ組み立て体１内に設けられたモーター（図示せず）により決められた回転数で正回転（図１矢印方向）に回転する。回転シリンダ組み立て体１には磁気テープ１５が斜めに巻きつけられ、回転シリンダ４とともに回転する磁気ヘッド３により、あらかじめ磁気テープ１５上に記録された映像、音声などの情報が読み取られる。
【００１５】
クリーナー５は回転シリンダ組み立て体１の磁気テープ１５が巻き付けられていない側の近傍で、Ｌ字型の取り付け板１０２に圧入された軸１０７を中心に回動可能に取り付けられている。取り付け板１０２は、他端１０４をソレノイド等の当接手段１０８で駆動されることで、軸１０３を中心に回動する。さらに取り付け板１０２のうち、軸１０３に対してクリーナー５と反対側には、ばね１０６が取り付けられている。ばね１０６はその自然長よりも引き伸ばされた状態で、他端を固定部１０５に取り付けられている。このため、取り付け板１０２は、ばね１０６によってクリーナー５を回転シリンダ組み立て体１から引き離す方向に付勢されている。回転シリンダ４の回転軸、軸１０３及び軸１０７は互いに平行となるように構成されている。駆動手段１００は回転シリンダ組み立て体１内に設けられたモーターを駆動する。制御手段１０１は駆動手段１００を制御することで回転シリンダの回転数と回転方向とを制御すると共に、当接手段１０８を駆動するタイミングをコントロールしている。
【００１６】
図２は制御手段１０１がコントロールする駆動手段と当接手段の指令信号のタイミングチャートである。この例では、巻きつけられていた磁気テープ１５が回転シリンダ組み立て体１から離れる排出時、磁気テープ１５が回転シリンダ４から離れ、巻きつけられていない状態のときに回転シリンダ４を逆回転させてからクリーナー５を一定時間当接させた後当接を解除し、最後に回転シリンダ４を停止する。次にテープを挿入する時には、今度は回転シリンダ４を正回転させてからクリーナー５を一定時間当接させた後当接を解除し、回転シリンダ４を停止してから、最後に磁気テープ１５を回転シリンダ組み立て体１に巻きつける動作を行う。
【００１７】
図３は本発明のヘッドクリーニング装置によるヘッドクリーニング効果を示す説明図である。図３（Ａ）において回転シリンダ４上の磁気ヘッド３は、巻きつけられた磁気テープ１５と接触しながら記録再生を行う。磁気ヘッド３の磁気テープ１５との接触面には、長時間使われることにより、磁気テープ１５に含まれる磁性紛や粘着性の汚れが付着して、磁気テープ１５と磁気ヘッド３間に隙間を作り、読み取り特性を悪化させる原因となる。
【００１８】
本発明のヘッドクリーニング装置ではまず、図３（Ｂ）のように回転シリンダ４を通常の記録再生時とは逆方向に回転させ、クリーナー５を当てる。これによって磁気ヘッド３の後端部の汚れはほとんどがふき取られ一部が磁気ヘッド３の前端部に移動する。次に所定時間経過後に、回転シリンダ４を図３（Ｃ）のように正回転（通常の記録再生時と同じ方向）に切り換え、再度クリーナー５を当てると、磁気ヘッド３の前端部についていた汚れも、磁気ヘッド３の後端部から移動してきた汚れも、綺麗に拭き取ることができる。これにより、従来ありがちな磁気ヘッド後端部の汚れの蓄積もなく、信頼性の高いクリーニング効果を長時間にわたって維持することができる。
【００１９】
なお、本実施の形態において、回転シリンダ組み立て体１として上側シリンダが回転するタイプを説明したが、磁気ヘッドが搭載された中シリンダを回転させるものでもかまわない。また、クリーナーを当接させるメカニズムはこの例に限定されることなく、テープのローディング、アンローディングに合わせてクリーナーを当接させるように構成していてもかまわない。
【００２０】
また、逆回転の後に正回転で拭き取るタイミング、組み合わせは本例に限らない。テープを収納したテープカセットを排出後に、回転シリンダ４を逆回転させてクリーナー５を当接させて所定時間クリーニングを行っておき、次回のテープカセット挿入時に、テープを回転シリンダ４に巻きつける前に回転シリンダ４を正回転させてクリーナー５を当接させるようにしても良い。
【００２１】
さらにテープカセットを排出時に逆回転でクリーナーを当てた後、正回転で再度クリーナーを当てる動作をさせるようにすると次回のテープカセット挿入時までごみ、カスをヘッド表面にためておくことがないので、クリーニング効果がより高まる。
【００２２】
（実施の形態２）
図４は、本発明の実施の形態２のヘッドクリーニング装置の構成図である。図４において、図７及び図１と同じ構成要素については同じ符号を用い、説明を省略する。
【００２３】
図４において、取り付け板４０１には軸１０７が圧入により取り付けられ、クリーナー５が軸１０７を中心に回動するようなっている。また、取り付け板４０１は、軸１０７の近傍で軸１０７が回転シリンダ４の回転軸に対してわずかに傾くように折り曲げられている。すなわち、軸１０７は、回転シリンダ４側面の接面に平行な面内で、回転シリンダ４の回転軸方向に対してわずかに回転した姿勢をとっている。
【００２４】
図５は図４におけるクリーナー５の断面図である。図５においてクリーナー５は不織布などからなるクリーニング部材２０４と、そのホルダー２０３から構成される。また、軸１０７のうち取り付け板４０１とクリーナー５との間には、コイルばね２０２が通されている。軸１０７の、取り付け板４０１と反対側の端部には、クリーナー５の脱落防止のためのストッパー２０５が取り付けられている。軸１０７のうち取り付け板４０１から突出する部分の長さから、クリーナー５の回転軸方向の長さを引いたもの、すなわちコイルばね２０２が収まるべき長さは、コイルばね２０２の自然長よりも短くなっている。そのため、クリーナー５は軸１０７を中心に回動可能とされると共に、軸１０７方向にも移動可能であり、かつ、コイルばね２０２によってゆるく軸１０７方向の下方へ、すなわちストッパー２０５に向かって付勢されている。
【００２５】
軸１０７が傾いていることにより、クリーナー５が回転シリンダ４に当接する際、図４の矢印と反対方向に回転シリンダ４が回転、すなわち逆回転しているときには、摩擦力により下側へ移動する力をうける。そのため、クリーナー５の位置はコイルばね２０２の付勢により下方に位置したまま変化しない。そして、図４の矢印のように回転シリンダ４が正（順）回転方向に回っているときには摩擦力により、クリーナー５はコイルばね２０２の力に抗して上側へ移動する力をうけ、コイルばね２０２による付勢に打ち勝って、当接高さが変化する。
【００２６】
これにより、正回転時と逆回転時とで磁気ヘッドに当接するクリーナーの位置を変えることができる。すなわち、逆回転時にヘッド後端にたまる汚れをふき取って汚れたときでも、その後の正回転時には再度当接するときには自動的にきれいな箇所でふき取ることができるので、磁気ヘッド表面を綺麗に保つことができる。
【００２７】
図６は、クリーニング部材２０４の別な構成を示した構成図である。高さ方向に材質を変え、上側に材質Ａ、下側に材質Ｂを配することで、逆回転時に材質Ａ、正回転時に材質Ｂが当たるようにしたものである。たとえば材質Ａには、材質Ｂより掻き出し効果の高い毛足の長いブラシ状の部材を、また、材質Ｂには材質Ａより拭き取り効果が高い粘着性の部材を用いることにより、逆回転時には強力に汚れを掻き出し、正回転時にはやさしくヘッド表面の残りカスを除去するので信頼性の高いクリーニング装置とすることができる。またクリーナーの材質としてはその硬さを高さ方向で変えることも効果が高い。
【００２８】
なお、クリーナー５の高さを変える手段としては、軸１０７の角度は回転シリンダ４の回転軸と平行のまま、高さを変えるアクチュエータを用いてもかまわない。この場合には制御手段１０１により、逆回転時と正回転時で前記アクチュエータによりクリーナー高さを変えるようにする。逆回転時と正回転時で高さを変えるメカニズム、アクチュエータの種類は本例にかぎらず、さまざまな変形が可能である。
【産業上の利用可能性】
【００２９】
本発明にかかるヘッドクリーニング装置は、ヘッドの後端の汚れをふき取るとともにヘッド表面のカスも効果的に除去できるので、磁気ヘッドを有する回転シリンダにテープを巻きつけ記録再生を行うＶＴＲ、ＤＡＴ、ストリーマなどの記録再生装置のヘッドクリーニング装置等として有用である。
【図面の簡単な説明】
【００３０】
【図１】本発明の実施の形態１におけるヘッドクリーニング装置の構成図
【図２】本発明の実施の形態１におけるヘッドクリーニング装置の動作タイミング図
【図３】ヘッドクリーニング効果を示す説明図
【図４】本発明の実施の形態２におけるヘッドクリーニング装置の構成図
【図５】本発明の実施の形態２におけるヘッドクリーナーの断面図
【図６】本発明の実施の形態２におけるヘッドクリーナーの別の構成図
【図７】従来のヘッドクリーニング装置の構成図
【符号の説明】
【００３１】
１  回転シリンダ組み立て体
２  固定シリンダ
３  磁気ヘッド
４  回転シリンダ
５  クリーナー
１００  駆動手段
１０１  制御手段
１０２  取り付け板
１０３  軸
１０６  ばね
１０７  軸
１０８  当接手段
２０２  コイルばね
２０３  ホルダー
２０４  クリーニング部材
４０１  取り付け板
【図１】
2006228408.tif 000003
【図２】
2006228408.tif 000004
【図３】
2006228408.tif 000005
【図４】
2006228408.tif 000006
【図５】
2006228408.tif 000007
【図６】
2006228408.tif 000008
【図７】
2006228408.tif 000009